(57)【特許請求の範囲】
【請求項１】
筐体と、
金属からなる扉本体を備えた、前記筐体の開口部を開閉する扉と、
前記扉に設けられた１以上の貫通穴と、
前記扉の内部であって、前記貫通穴と対向する位置に配置されたマイクロフォンと、
前記貫通穴と前記マイクロフォンとの間に配置された金属片と、
前記金属片と前記扉本体とを接続するアース線と、
を備え、
前記金属片が、９０度未満の角度で互いに連結された第１金属板及び第２金属板から形成され、前記第１金属板が前記マイクロフォン側に配置され、前記第２金属板が前記扉に設けられた前記貫通穴側に配置された、冷蔵庫。
【請求項２】
前記金属片において、前記扉に設けられた前記貫通穴及び前記マイクロフォンに対応する位置に少なくとも１以上の貫通穴を備えた、請求項１に記載の冷蔵庫。
【請求項３】
前記貫通穴は、前記扉の外面に設けられた、請求項１又は請求項２に記載の冷蔵庫。
【請求項４】
前記マイクロフォンは制御基板に接続された、請求項１から請求項３の何れか１項に記載の冷蔵庫。
【発明の詳細な説明】
【技術分野】
【０００１】
本発明は、冷蔵庫に関し、特に、音声を入力するためのマイクロフォンを備えた冷蔵庫に関する。
【背景技術】
【０００２】
貯蔵すべき物品の情報を音声入力するためのマイクロフォンが冷蔵庫の扉の内側に設けられた冷蔵庫が提案されている（例えば、特許文献１参照）。
【先行技術文献】
【特許文献】
【０００３】
【特許文献１】特開２００３−４３６８号公報
【発明の概要】
【発明が解決しようとする課題】
【０００４】
特許文献１に記載の冷蔵庫では、音声を入力するために、使用者がマイクロフォンに近づいたときに、静電気による電流がマイクロフォンに流れて、マイクロフォンが破損するおそれがある。特に、マイクロフォンが冷蔵庫の外側に設けられている場合には、静電気によるマイクロフォンの破損の可能性が更に高まる。
【０００５】
本発明は、静電気による電流によってマイクロフォンが損傷することを防ぐことができる冷蔵庫を提供することにある。
【課題を解決するための手段】
【０００６】
前記課題を解決するため、本発明に係る冷蔵庫は、次のように構成したことを特徴とする。
【０００７】
本発明の冷蔵庫は、
筐体と、
金属からなる扉本体を備えた、前記筐体の開口部を開閉する扉と、
前記扉に設けられた１以上の貫通穴と、
前記扉の内部であって、前記貫通穴と対向する位置に配置されたマイクロフォンと、
前記貫通穴と前記マイクロフォンとの間に配置された金属片と、
前記金属片と前記扉本体とを接続するアース線と、
を備えたことを特徴とする。
【０００８】
これにより、使用者が冷蔵庫に備えられたマイクロフォンに近づいても、静電気による電流は、金属片に流れて、金属片と扉本体とを接続するアース線を介して、接地状態にある扉本体に流れるため、マイクロフォンが破損するのを防ぐことができる。
【０００９】
本発明は、前記金属片において、前記扉に設けられた前記貫通穴及び前記マイクロフォンに対応する位置に１以上の貫通穴を備えたことを特徴とする。
【００１０】
これにより、使用者の音声は、金属片の周りを回り込むことなく、金属片の貫通穴を通って、直接マイクロフォンに到達する。よって、小さな音声であっても、マイクロフォンで正確に感知することができる。一方、静電気による電流は、音声とは異なり、金属片に貫通穴があっても、接地状態にある金属片に流れる。よって、マイクロフォンの感度を落とすことなく、マイクロフォンが破損するのを防ぐことができる。
【００１１】
本発明は、金属片が、９０度未満の角度で互いに連結された第１金属板及び第２金属板から形成され、前記第１金属板が前記マイクロフォン側に配置され、前記第２金属板が前記扉に設けられた前記貫通穴側に配置されたことを特徴とする。
【００１２】
本発明によれば、第２金属板が、第１金属板よりも、扉により近づくため、静電気による電流の入り口となる扉の貫通穴に、金属片をより近づかせることができる。これにより、より確実に、静電気による電流が金属片に流れ込むようになる。更に、仮に静電気による電流が第２金属板に流れなかったとしても、後ろに第１金属板が存在するので、二重の静電気除去機能を有する。よって、より確実に、マイクロフォンが破損するのを防ぐことができる。
【００１３】
本発明は、前記貫通穴が、前記扉の外面に設けられたことを特徴とする。
【００１４】
扉の貫通穴が扉の外面に設けられている場合、外気が乾燥していると、特に静電気による電流がマイクロフォン側に流れる可能性が高くなる。しかし、金属片を設けることによって、確実にマイクロフォンが破損するのを防ぐことができる。
【００１５】
本発明は、前記マイクロフォンが制御基板に接続されたことを特徴とする。
【００１６】
これにより、マイクロフォンだけでなく、マイクロフォンが接続された制御基板が静電気による電流により破損するのを防ぐことができる。
【発明の効果】
【００１７】
本発明によれば、扉の貫通穴とマイクロフォンとの間に金属片を配置し、金属片と金属からなる扉本体とをアース線で接続するため、使用者が冷蔵庫に備えられたマイクロフォンに近づいたときに、静電気による電流が、金属片に流れて、アース線を介して、接地状態にある扉本体に流れる。よって、マイクロフォンが破損するのを防ぐことができる。
【図面の簡単な説明】
【００１８】
【図１】本発明の冷蔵庫全体を概略的に示す斜視図である。
【図２】図１の上扉のＡ−Ａ線における縦断面の概略図である
【図３】本発明の冷蔵庫が備える金属片の一例を示す図である。
【図４】図３の金属片を扉に取り付けた状態を示す図である。
【図５】静電気による電流と音声の流れを示す模式図である。
【図６】金属片の形状と静電気による電流の流れを示す概略図である。
【図７】（ａ）（ｂ）（ｃ）はそれぞれ穴の形状のその他の例を示す図である。
【発明を実施するための形態】
【００１９】
以下、本発明の実施形態の冷蔵庫１について、図１から図７を参照しながら説明する。
【００２０】
（冷蔵庫の全体構成）
図１は、本発明の冷蔵庫全体を概略的に示す斜視図である。図１に示すように、冷蔵庫１は、その内部に食品等の貯蔵室として、上段に図示しない冷蔵室と下段に図示しない冷凍室が配設された冷蔵庫本体である筐体２を備える。また、冷蔵庫１は、筐体２の前方Ｙ１の上下にそれぞれ、筐体２の開口部を開閉するための片開き式の扉体として、上扉３ａと下扉３ｂを備える。
【００２１】
扉体３ａ，３ｂの内部には、画像を表示する液晶ディスプレイ等の画像表示装置４ａ，４ｂが設けられる。扉体３ａ，３ｂの前面には、画像表示装置４ａ，４ｂの表面を覆うように、光透過性を有するガラス板等の透明前板５が設けられる。また、扉体３ａ，３ｂの左方Ｘ２側面には、ユーザが扉体３ａ，３ｂを開く際に指先を引っ掛けるための凹部６が形成される。凹部６が形成されることによって、扉体３ａ，３ｂは、前面に把手等を設ける必要がなく、全面をフラットにできるため、意匠性に優れている。
【００２２】
（扉体の構造）
図２は、上扉３ａのＡ−Ａ線における縦断面の概略図である。図２に示すように、上扉３ａの側面には、１つ以上の貫通穴１２が設けられ、上扉３ａの内部であって貫通穴１２と対向する位置にマイクロフォン９が配置される。上扉３ａの貫通穴１２とマイクロフォン９は、図１に示す凹部６に設けられる。マイクロフォン９と上扉３ａの貫通穴１２との間に、金属片１０が配置される。金属片１０は、上扉３ａの貫通穴１２に対応させた位置に貫通穴１１を備える。図２では、金属片１０及び貫通穴１１を機能的に簡略化して表してある。
【００２３】
上扉３ａは、内部に金属からなる扉本体であるフレーム７を備える。フレーム７は電気的に接地されている。上扉３ａの内部であって、フレーム７の内側に、画像表示装置４ａが設けられる。マイクロフォン９と画像表示装置４ａなどの、上扉３ａ及び下扉３ｂに備えられた種々の電装部品を制御する制御基板８が、画像表示装置４ａの背面側の中央に設けられる。アース線１３は、金属片１０とフレーム７とを電気的に接続するように配線される。マイクロフォン９からの音声信号を制御基板８に伝送するための電線１４が、マイクロフォン９と制御基板８とを接続するように配線される。
【００２４】
（金属片の構造）
図３は、本発明の冷蔵庫が備える金属片１０の一例を示す図である。金属片１０は、金属の板状部材の本体部分である第１金属板１０ａと、第１金属板１０ａに対して板状部材が折り曲げ加工されることによって形成された第２金属板１０ｂ及び第３金属板１０ｃとを備える。第２金属板１０ｂと第１金属板１０ａとの内側の角度は９０度未満であり、第３金属板１０ｃと第１金属板１０ａとの角度は約９０度である。第１金属板１０ａと第２金属板１０ｂには、音声を通すための貫通穴１１が設けられる。図３の例では、第１金属板１０ａに３つの貫通穴１１が設けられ、第２金属板１０ｂに２つの貫通穴が設けられる。第３金属板１０ｃは、アース線１３をかしめて固定するのに使用される。
【００２５】
（金属片の取り付け）
図４は、図３の金属片１０を上扉３ａに装着した状態を示す図である。第１金属板１０ａの３つの貫通穴１１のうちの真ん中を除く２つが、上扉３ａの貫通穴１２に対応するように配置される。第１金属板１０ａとマイクロフォン９との間に、第１金属板１０ａとマイクロフォン９との接触を防ぐための樹脂１７が配置される。樹脂１７は、上扉３ａの貫通穴１２に対応する位置に貫通穴１８を備える。金属板１０、樹脂１７、及びマイクロフォン９は、押さえ部材１９とねじ２０によって、上扉３ａに取り付けられる。
【００２６】
図５は、静電気による電流と音声の流れを示す模式図である。使用者の音声は、上扉３ａの貫通穴１２を通って、マイクロフォン９に到達する。特に、金属片１０が貫通穴１１を備えるので、実線１５に示すように、音声は、金属片１０の周りを回り込むことなく、貫通穴１１を通って、直接マイクロフォン９に到達する。よって、小さな音声であっても、マイクロフォン９で正確に感知することができる。
【００２７】
一方、静電気による電流は、音声とは異なり、破線１６に示すように、貫通穴１１があっても、上扉３ａの貫通穴１２の近傍に配置された、接地状態にある金属片１０に流れる。静電気による電流は、金属片１０から、アース線１３を介して、接地状態である上扉３ａのフレーム７へと流れるため、静電気による電流はマイクロフォン９側に流れない。つまり、金属片１０が、避雷針の機能を果たす。よって、マイクロフォン９の感度を落とすことなく、マイクロフォン９が破損するのを防ぐことができる。
【００２８】
図６は、金属片の形状と静電気による電流の流れを示す概略図である。本実施形態の金属片１０は、板状部材が折り曲げ加工されることによって形成された第２金属板１０ｂが、第１金属板１０ａよりも、上扉３ａにより近づくため、静電気による電流の入り口となる上扉３ａの貫通穴１２に、金属片１０をより近づかせることができる。これによって、より確実に、静電気による電流が金属片１０に流れ込むようになる。更に、仮に静電気による電流が第２金属板１０ｂに流れなかったとしても、後ろに第１金属板１０ａが存在するので、二重の静電気除去機能を有する。よって、より確実に、マイクロフォンが破損するのを防ぐことができる。
【００２９】
（まとめ）
以上のように、本発明によれば、使用者が冷蔵庫１に備えられたマイクロフォン９に近づいても、静電気による電流は、金属片１０に流れて、アース線１３を介して、接地状態にある上扉３ａのフレーム７に流れるため、マイクロフォン９が破損するのを防ぐことができる。上扉３ａの貫通穴１２は、上扉３ａの外側の面に設けられているため、外気が乾燥している場合には、特に静電気による電流がマイクロフォン９側に流れる可能性が高くなるが、金属片１０によって、確実にマイクロフォン９が破損するのを防ぐことができる。マイクロフォン９は制御基板８に接続されているため、マイクロフォン９だけでなく、マイクロフォン９が接続された制御基板８が静電気による電流により破損するのを防ぐことができる。
【００３０】
（変形例）
上記実施形態においては、上扉３ａに貫通穴１２を設け、上扉３ａの貫通穴１２に対向する位置にマイクロフォン９及び金属片１０を設ける場合について説明したが、下扉３ｂに貫通穴１２を設けて、下扉３ｂの貫通穴１２に対向する位置にマイクロフォン９及び金属片１０を設けても良い。
【００３１】
図７の（ａ）（ｂ）（ｃ）は、それぞれ金属片１０の貫通穴１１の形状のその他の例を示す図である。金属片１０に設けられる貫通穴１１の形状及び数は、図３の例に限らない。例えば、図７（ａ）に示すように、多数の小さな円形状の貫通穴１１を設けても良い。図７（ｂ）に示すように、少数の大きな円形状の貫通穴１１を設けても良い。図７（ｃ）に示すように、矩形状の貫通穴１１が設けられても良い。同じ形状及び同じ数の貫通穴１１が第１金属板１０ａと第２金属板１０ｂに設けられても良いし、異なる形状及び異なる数の貫通穴１１が第１金属板１０ａと第２金属板１０ｂに設けられても良い。扉体３ａ，３ｂに設けられる貫通穴１２と第１金属板１０ａに設けられる貫通穴１１の形状及び数は、同じであっても良いし、異なっても良い。扉体３ａ，３ｂに設けられる貫通穴１２と、第１金属板１０ａ及び第２金属板１０ｂに設けられる貫通穴１１は、静電気による電流がマイクロフォン９に流れるのを防止し且つ音声のみがマイクロフォン９に到達することが可能となる形状及び数であれば任意のもので良い。
【００３２】
図３に示すように、第２金属板１０ｂは第１金属板１０ａに対して所定の角度となるように設けられたが、第２金属板１０ｂの形状は上記実施形態に限定されない。例えば、第２金属板１０ｂは、第１金属板１０ａと平行となるように、例えばコの字型のように設けられても良い。複数個の第２金属板１０ｂを設けても良い。第２金属板１０ｂは、第１金属板１０ａよりも扉体３ａ，３ｂに近くなるように設けられれば良い。第１金属板１０ａが扉体３ａ，３ｂに近ければ、第２金属板１０ｂは無くても良い。
【００３３】
第２金属板１０ｂ及び第３金属板１０ｃの形成は、折り曲げ加工に限定されない。例えば、第１金属板１０ａに対して溶接加工することによって、第２金属板１０ｂ及び第３金属板１０ｃを形成しても良い。第１金属板１０ａ、第２金属板１０ｂ、及び第３金属板１０ｃが電気的に接続していれば良く、第２金属板１０ｂ及び第３金属板１０ｃの形成は任意の方法でできる。
【００３４】
マイクロフォン９、金属片１０と、扉体３ａ，３ｂの貫通穴１２は、扉体３ａ，３ｂの外面ではなく、扉体３ａ，３ｂの内面、すなわち、扉体３ａ，３ｂの筐体２側の面に設けられても良い。
【産業上の利用可能性】
【００３５】
本発明によれば、静電気による電流によってマイクロフォンが損傷することを防ぐ冷蔵庫を提供できるので、この種の冷蔵庫の製造産業分野において、好適に利用される可能性がある。
【符号の説明】
【００３６】
１          冷蔵庫
２          筐体
３ａ、３ｂ  扉体
４ａ、４ｂ  画像表示装置
７          フレーム
８          制御基板
９          マイクロフォン
１０        金属片
１０ａ      第１金属板
１０ｂ      第２金属板
１０ｃ      第３金属板
１１、１２、１８  貫通穴
１３        アース線
１４        電線
１７        樹脂
１９        押さえ部材
２０        ねじ
【図１】
0006732171.tif 000002
【図２】
0006732171.tif 000003
【図３】
0006732171.tif 000004
【図４】
0006732171.tif 000005
【図５】
0006732171.tif 000006
【図６】
0006732171.tif 000007
【図７】
0006732171.tif 000008